(57)【要約】【課題】１つの測定結果表示画面に表示すべき測定結果を容易に選択し得る記録装置を提供する。【解決手段】複数の測定結果を測定結果表示画面に表示する表示部３と、表示すべき測定結果を所定の表示条件に従って測定結果表示画面に表示させると共に所定の表示条件を設定する表示条件設定画面２１を表示部３に表示させる制御部とを備えて、所定の表示条件の異なる複数の測定結果表示画面を表示可能に構成されると共に、各測定結果表示画面に表示すべき測定結果を表示条件設定画面２１上において各測定結果表示画面毎に選択して所定の表示条件を設定可能に構成され、制御部は、選択された結果を表示条件設定画面２１（チャンネル選択結果表示部２４ａ）内に表示させる。【選択図】図３
2006162437.tif 000002
【特許請求の範囲】
【請求項１】
複数の測定結果を測定結果表示画面に表示する表示部と、表示すべき前記測定結果を所定の表示条件に従って前記測定結果表示画面に表示させると共に当該所定の表示条件を設定する表示条件設定画面を前記表示部に表示させる制御部とを備えて、前記所定の表示条件の異なる複数の前記測定結果表示画面を表示可能に構成されると共に、前記各測定結果表示画面に表示すべき前記測定結果を前記表示条件設定画面上において当該各測定結果表示画面毎に選択して前記所定の表示条件を設定可能に構成され、
前記制御部は、前記選択された結果を前記表示条件設定画面内に表示させる記録装置。
【請求項２】
前記測定結果表示画面を分割した複数の表示領域毎に前記所定の表示条件に従って前記各測定結果を表示可能に構成されると共に、当該各表示領域のうちのいずれの表示領域に前記各測定結果を表示させるかを前記表示条件設定画面上において前記各測定結果毎に指定して前記所定の表示条件を設定可能に構成され、
前記制御部は、前記指定された結果を前記表示条件設定画面内に表示させる請求項１記載の記録装置。
【発明の詳細な説明】
【技術分野】
【０００１】
本発明は、測定結果表示画面に複数の測定結果を表示する記録装置に関するものである。
【背景技術】
【０００２】
この種の記録装置として、出願人は、入力信号についての信号波形を表示する波形記録装置を特開平１１−２６４８４０号公報に開示している。この波形記録装置は、一例として３２チャンネルの信号入力チャンネル（以下、「チャンネル」ともいう）からそれぞれ入力した記録対象信号（入力信号）に基づく波形データの生成および記録と、記録した波形データに基づく信号波形の表示とを実行可能に構成されている。この波形記録装置では、電源スイッチが投入された際に初期画面としての波形表示画面が表示部に表示され、この状態で記録対象信号が入力されることによって各チャンネルに対応する記録対象信号についての信号波形が波形表示画面に表示される。この際に、波形表示画面内における例えばチャンネル２８についての信号波形の表示位置（ゼロ位置）を変更するには、まず、表示条件設定画面を表示部に表示させる。
【０００３】
この場合、表示条件設定画面には、例えばチャンネル１〜８の８チャンネルについての信号波形の表示条件をそれぞれ設定する設定領域が規定されている。また、表示条件を設定する対象のチャンネルについては、例えばダウンキーを操作することによってチャンネル９〜１６、チャンネル１７〜２４、およびチャンネル２５〜３２の各８チャンネルについての信号波形の表示条件を設定が可能に順次切替え表示することができる。次いで、チャンネル２８についての設定領域を含む表示条件設定画面を表示させた状態において、カーソル移動キーを操作して設定領域におけるチャンネル２８の「ゼロ位置」の設定部位にカーソルを移動させる。続いて、アップキーまたはダウンキーを操作してチャンネル２８についての信号波形の表示位置を変更する。この後、ＤＩＳＰキーを操作することによって表示条件設定画面に代えて信号波形表示画面が表示部に表示され、表示条件設定画面において設定した表示位置にチャンネル２８についての信号波形が表示される。
【特許文献１】特開平１１−２６４８４０号公報（第５−８頁、第１−６図）
【発明の開示】
【発明が解決しようとする課題】
【０００４】
ところが、出願人が開示している波形記録装置には、以下の改善すべき課題がある。すなわち、出願人が開示している波形記録装置では、信号波形の表示条件を設定するための表示条件設定画面を８チャンネル毎の４画面に分割して各画面を切替え表示させる構成が採用されている。この場合、出願人が開示している波形記録装置において全チャンネル（この例では、３２チャンネル）の信号波形を１つの信号波形表示画面内に表示させたときには、各信号波形が画面上で重なって表示されて各波形の読み取りが困難となることがある。したがって、３２チャンネルのうちから例えば８チャンネル程度を上限として表示すべき信号波形のチャンネルを選択して波形表示画面に表示させるのが好ましい。しかし、出願人が開示している波形記録装置では、上記のように８チャンネル毎の４画面を切替え表示させる構成が採用されているため、例えば、チャンネル１，５，９，１３，１７，２１，２５，２９の８チャンネルを表示対象チャンネルとして選択する際には、表示条件設定画面を４回に亘って切り替え表示させる必要がある。このため、出願人が開示している波形記録装置では、１つの波形表示画面内に表示すべき信号波形を選択する作業がやや煩雑となるため、この点を改善するのが好ましい。
【０００５】
一方、出願人は、最大で１６チャンネルの信号入力系統を有する測定ユニットを８ユニットまで装着可能な波形記録装置を開発している。この開発中の波形記録装置では、信号入力系統が最大で１２８チャンネルとなるため、出願人が開示している波形記録装置と同様にして例えば８チャンネル毎に分割した表示条件設定画面を切替え表示させる構成では、全チャンネルのうちから表示すべき信号波形に対応するチャンネルを選択するのが一層煩雑となる。また、出願人が開発中の波形記録装置では、表示条件が異なる複数の波形表示画面毎に信号波形を表示させるべきチャンネルを選択しておくことで、各波形表示画面毎に選択されたチャンネルに対応する信号波形を表示させることが可能となっている。この場合、出願人が開示している波形記録装置と同様にして８チャンネル毎に分割した表示条件設定画面を切替え表示させて表示条件を設定する構成を採用したときには、１つの波形表示画面中に表示させる各信号波形についての表示条件が複数の表示条件設定画面に跨って表示されることとなる。このため、１つの波形表示画面に表示させるべき各信号波形についての表示条件の設定作業が煩雑となるため、この点を改善するのが好ましい。
【０００６】
本発明は、かかる改善すべき課題に鑑みてなされたものであり、１つの測定結果表示画面に表示すべき測定結果を容易に選択し得る記録装置を提供することを主目的とする。また、１つの測定結果表示画面に表示する測定結果についての表示条件を容易に設定し得る記録装置を提供することを他の目的とする。
【課題を解決するための手段】
【０００７】
上記目的を達成すべく請求項１記載の記録装置は、複数の測定結果を測定結果表示画面に表示する表示部と、表示すべき前記測定結果を所定の表示条件に従って前記測定結果表示画面に表示させると共に当該所定の表示条件を設定する表示条件設定画面を前記表示部に表示させる制御部とを備えて、前記所定の表示条件の異なる複数の前記測定結果表示画面を表示可能に構成されると共に、前記各測定結果表示画面に表示すべき前記測定結果を前記表示条件設定画面上において当該各測定結果表示画面毎に選択して前記所定の表示条件を設定可能に構成され、前記制御部は、前記選択された結果を前記表示条件設定画面内に表示させる。なお、本発明における複数の測定結果表示画面については、複数の測定結果表示画面を並べて表示させてもよいし、複数の測定結果表示画面を１画面ずつ切り替え表示させてもよい。
【０００８】
請求項２記載の記録装置は、請求項１記載の記録装置において、前記測定結果表示画面を分割した複数の表示領域毎に前記所定の表示条件に従って前記各測定結果を表示可能に構成されると共に、当該各表示領域のうちのいずれの表示領域に前記各測定結果を表示させるかを前記表示条件設定画面上において前記各測定結果毎に指定して前記所定の表示条件を設定可能に構成され、前記制御部は、前記指定された結果を前記表示条件設定画面内に表示させる。
【発明の効果】
【０００９】
請求項１記載の記録装置によれば、各測定結果表示画面に表示すべき測定結果として表示条件設定画面上において各測定結果表示画面毎に選択された結果を表示条件設定画面内に表示させることにより、設定画面の画面切替えを行うことなく、１つの測定結果表示画面に表示させるべき各測定結果を１つの表示条件設定画面内で選択して設定することができる。したがって、複数の測定結果が存在したとしても、１つの測定結果表示画面に表示させるべき測定結果を確実かつ容易に選択することができる。
【００１０】
また、請求項２記載の記録装置によれば、各測定結果を表示させるべき表示領域として表示条件設定画面上において各測定結果毎に指定された結果を表示条件設定画面内に表示させることにより、設定画面の画面切替えを行うことなく、１つの測定結果表示画面に表示させるべき各測定結果についての表示条件（いずれの表示領域に表示させるかの条件）を１つの表示条件設定画面内で確実かつ容易に設定することができる。
【発明を実施するための最良の形態】
【００１１】
以下、添付図面を参照して、本発明に係る記録装置の最良の形態について説明する。
【００１２】
最初に、波形記録装置１の構成について、図面を参照して説明する。
【００１３】
図１に示す波形記録装置１は、本発明に係る記録装置の一例であって、入力信号に基づいて生成した波形データを記録して表示態様が異なる複数の波形表示画面３１，３１・・（波形表示シート：一例として、図２に示す波形表示画面３１）に各波形データに基づく信号波形を表示する。この波形記録装置１は、測定部２、表示部３、操作部４、制御部５および記憶部６，７を備えて構成されている。測定部２は、一例として測定ユニット２ａ〜２ｈの８つのユニットが取り外し可能に装着され、各測定ユニット２ａ〜２ｈ毎に別個独立して測定処理を実行可能に構成されている。具体的には、各測定ユニット２ａ〜２ｈは、入力信号Ｓ１１，Ｓ１２・・（以下、区別しないときには「入力信号Ｓ」ともいう）をアナログ−ディジタル変換することによって波形データＤ１１，Ｄ１２・・を生成して制御部５に出力する。なお、測定ユニット２ａ〜２ｈは、実際には、各々が２チャンネルから１６チャンネル程度の複数の信号入力系統を備えて１つのユニットで複数の入力信号Ｓについての測定処理を実行可能に構成されているが、本発明についての理解を容易とするために、１つの測定ユニットが８チャンネルの信号入力系統を備えて各入力信号Ｓ，Ｓ・・についての測定処理を実行するものとして説明する。
【００１４】
表示部３は、一例としてＬＣＤパネルで構成され、制御部５の制御に従って表示条件設定画面２１（図３参照）や波形表示画面３１（図２参照）などの各種表示画面を表示する。この場合、図３に示すように、表示条件設定画面２１は、表示態様設定領域２２、合成条件設定領域２３および表示対象設定領域２４の３つの領域で構成されている。表示態様設定領域２２は、波形表示画面３１の表示態様についての各表示条件を設定するための領域であって、シート選択部２２ａ、シート名設定部２２ｂ、表示種類設定部２２ｃおよび分割態様設定部２２ｄの４つの条件設定部が設けられている。シート選択部２２ａは、表示条件設定画面２１において表示条件を設定する対象の波形表示画面３１（波形表示シート：以下、波形表示画面３１を「シート」ともいう）を選択する部位であって、一例として「シート１」〜「シート５０」の５０種類の選択候補から所望のシートに対応する選択候補を選択可能なコンボボックスで構成されている。シート名設定部２２ｂは、シート選択部２２ａにおいて選択されたシートのシート名を文字入力する（設定する）テキストボックスで構成されている。
【００１５】
表示種類設定部２２ｃは、波形表示画面３１に表示させる信号波形Ｗの表示形態について、一例として、「波形」、「数値」、「ＸＹ合成」および「波形＋ＸＹ合成」の４種類の選択候補の中から所望の表示形態を選択可能なコンボボックスで構成されている。この場合、「波形」が選択されたときには、記憶部７に記憶されている波形データＤ，Ｄ・・に基づく振幅波形（本発明における測定結果の一例）が波形表示画面３１に表示され、「数値」が選択されたときには、波形データＤ，Ｄ・・が数値（文字列：本発明における測定結果の他の一例）で３１に表示される。また、「ＸＹ合成」が選択されたときには、いずれかの波形データＤの値をＸ軸の値とし、他のいずれかの波形データＤの値をＹ軸の値とするリサージュ波形（本発明における測定結果のさらに他の一例）が波形表示画面３１に表示される。さらに、「波形＋ＸＹ合成」が選択されたときには、振幅波形とリサージュ波形とが１つの波形表示画面３１中に表示される。分割態様設定部２２ｄは、波形表示画面３１の分割態様についての各表示条件（この例では、「分割数」、「分割パターン」および「スクロール方向」の３つの分割条件）を設定する３つのコンボボックスで構成されている。また、分割態様設定部２２ｄ内には、設定した分割態様で波形表示画面３１を分割した各波形表示領域３１ａ，３１ｂ・・（図２参照）を縮小して図形的に表した分割態様表示２６が表示される。この分割態様表示２６は、表示態様設定領域２２内に表示されている各表示条件が変更された際に、変更された新たな表示条件の分割態様に対応して表示替えされる。
【００１６】
この場合、この波形記録装置１は、波形表示画面３１の分割数（波形表示領域３１ａ，３１ｂ・・の数：表示態様設定領域２２内の「画面分割」に表示される表示条件）と、分割された各波形表示領域３１ａ，３１ｂ・・の形状（各波形表示領域３１ａ，３１ｂ・・の相対的な大きさおよび縦横比：表示態様設定領域２２内の「パターン」に表示される表示条件）と、各波形表示領域３１ａ，３１ｂ・・内に表示する信号波形Ｗ１，Ｗ２・・のスクロール方向（時間軸方向：表示態様設定領域２２内の「スクロール方向」に表示される表示条件）との３つの表示条件を任意に設定することで、所望の分割態様で波形表示画面３１を分割して各波形表示領域３１ａ，３１ｂ・・に信号波形Ｗ１，Ｗ２・・を表示させることができるように構成されている。
【００１７】
具体的には、分割数については、「１分割（分割なし）」、「２分割」、「３分割」、「４分割」、「６分割」および「８分割」の６つの選択候補のうちのいずれかを選択することで、波形表示画面３１の分割数（波形表示領域３１ａ，３１ｂ・・の数）を設定することができる。また、各波形表示領域３１ａ，３１ｂ・・の形状については、「パターン１」および「パターン２」の２つの選択候補のいずれかを選択することができる。この場合、「パターン１」を選択したときには、各波形表示領域３１ａ，３１ｂ・・が同じ大きさ（同じ形状）となるように波形表示画面３１が均等に分割され、「パターン２」を選択したときには、波形表示領域３１ａが他の波形表示領域３１ｂ，３１ｃ・・よりも大きくなるように波形表示画面３１が不均等に分割される。さらに、スクロール方向については、「横スクロール（時間軸が横軸）」および「縦スクロール（時間軸が縦軸）」の２つの選択候補のいずれかを選択することができる。なお、この波形記録装置１では、一例として、「２分割」、「パターン１」および「横スクロール」がデフォルトの表示条件として設定されている。
【００１８】
合成条件設定領域２３は、波形表示画面３１にリサージュ波形を表示させる際の表示条件を設定可能なコンボボックスで構成されている。また、表示対象設定領域２４は、測定部２の全チャンネルのうちから、シート選択部２２ａに選択されているシート（波形表示画面３１：図３の例では、「シート２」）に表示させるべき信号波形Ｗに対応するチャンネルを選択すると共に、選択した信号波形Ｗの表示位置等を設定するための領域であって、チャンネル選択結果表示部２４ａ、領域指定結果表示部２４ｂおよびユニット種別表示部２４ｃが設けられている。チャンネル選択結果表示部２４ａは、例えば「シート２」に表示すべきと選択された信号波形Ｗ，Ｗ・・について、その信号波形Ｗの入力信号Ｓを入力した測定ユニットとチャンネルとが文字情報（本発明における「選択された結果」の一例）で表示される。この場合、例えば表示対象設定領域２４に表示された「１−１」は、「測定ユニット２ａのチャンネル１」を意味する。
【００１９】
領域指定結果表示部２４ｂは、チャンネル選択結果表示部２４ａに表示されているチャンネルを波形表示画面３１における波形表示領域３１ａ，３１ｂ・・のいずれの領域に表示するかが表示される。この場合、表示態様設定領域２２において波形表示画面３１を４分割するように設定されている状態では、例えば、信号波形Ｗの表示位置として波形表示領域３１ａ（図２参照）が指定された際に、領域指定結果表示部２４ｂには「Ｇ１」（本発明における「指定された結果」の一例）と表示される。また、表示位置として波形表示領域３１ｂ，３１ｃ，３１ｄがそれぞれ指定されたときには、領域指定結果表示部２４ｂには「Ｇ２」、「Ｇ３」、「Ｇ４」（本発明における「指定された結果」の他の一例）とそれぞれ表示される。なお、波形表示画面３１における波形表示領域３１ａ，３１ｂ・・の位置については、表示態様設定領域２２内の分割態様表示２６に「Ｇ１」、「Ｇ２」・・のような文字情報で表示されている。ユニット種別表示部２４ｃは、そのチャンネルのユニットの種別（一例として、「電圧ユニット」や「温度ユニット」等）が表示される。
【００２０】
一方、図３に示すように、操作部４は、電源ボタン１１、スタートボタン（測定開始ボタン）１２、ストップボタン（測定終了ボタン）１３、カーソル移動ボタン１４ａ〜１４ｄおよびファンクションボタン１５ａ〜１５ｈ（以下、区別しないときには「ファンクションボタン１５」ともいう）などの各種操作ボタンが配列されて構成されている。この場合、各ファンクションボタン１５は、使用状況に応じて各種機能が割り当てられると共に、割り当てられた機能を示す機能表示（一例として、同図に示す機能表示２５ａ〜２５ｄ）が表示部３の機能表示領域２５内に表示される。制御部５は、入力した各波形データＤ，Ｄ・・の記憶部６への記憶制御、記憶させた波形データＤ，Ｄに基づく信号波形Ｗ１１，Ｗ１２・・（図２参照：以下、区別しないときには、「信号波形Ｗ」ともいう）の表示部３への表示制御、並びに、各信号波形Ｗ，Ｗ・・を表示させる波形表示画面３１についての表示条件の設定処理などを実行する。記憶部６は、測定部２から出力された波形データＤ，Ｄ・・を記憶する。記憶部７は、制御部５の動作プログラムなどを記憶する。
【００２１】
次に、波形記録装置１の全体的な動作について、図面を参照して説明する。なお、測定部２による各入力信号Ｓ，Ｓ・・に基づく波形データＤ，Ｄ・・の生成処理（測定処理）については既に完了しているものとし、記憶部６には、測定部２によって生成された複数の波形データＤ，Ｄ・・が記憶されているものとする。
【００２２】
まず、操作部４の所定のボタンを操作して表示条件設定画面２１を表示部３に表示させる。この際には、カーソル表示２１ａ（図３参照）がシート選択部２２ａの部位に表示されて表示条件を設定する対象のシート（波形表示画面３１）の選択が可能な状態となる。この際に、操作部４を操作して例えば「シート２」を選択する。次いで、カーソル移動ボタン１４ｂを操作してカーソル表示２１ａをシート名設定部２２ｂに移動させた状態で、「シート２」の名称（この例では、「Sheet2」）を文字入力する。続いて、カーソル移動ボタン１４ｂを操作してカーソル表示２１ａを表示種類設定部２２ｃに移動させる。この際には、ファンクションボタン１５ａ〜１５ｄに割り当てられた選択機能（「波形」、「数値」、「ＸＹ合成」および「波形＋ＸＹ合成」を選択する機能）を表す機能表示２５ａ〜２５ｄが機能表示領域２５内に表示される（図示せず）。したがって、所望する表示種類を正確に選択することができる。ここでは、一例として、ファンクションボタン１５ａ（「波形」の選択）を操作する。
【００２３】
次いで、カーソル移動ボタン１４ｂを操作してカーソル表示２１ａを分割態様設定部２２ｄの「画面分割」の部位に移動させる。この際に、「１分割」、「２分割」、「３分割」、「４分割」、「６分割」および「８分割」の各選択候補を選択する機能がファンクションボタン１５ａ〜１５ｆに割り当てられると共に、割り当てられた機能を示す機能表示２５ａ〜２５ｆが機能表示領域２５内に表示される（図示せず）。ここでは、一例として、ファンクションボタン１５ｄ（「４分割」の選択）を操作する。これに応じて、制御部５は、分割態様表示２６を４分割の表示態様に対応して表示替えする。続いて、カーソル移動ボタン１４ｂを操作してカーソル表示２１ａを「パターン」の部位に移動させる。この際に、「パターン１」および「パターン２」の選択候補を選択する機能がファンクションボタン１５ａ，１５ｂに割り当てられると共に、割り当てられた機能を示す機能表示２５ａ，２５ｂが機能表示領域２５内に表示される（図示せず）。ここでは、一例として、ファンクションボタン１５ａ（「パターン１」の選択）を操作する。
【００２４】
次いで、図４に示すように、カーソル移動ボタン１４ｄを操作してカーソル表示２１ａを表示対象設定領域２４内に移動させる。この際には、カーソル表示２１ａがチャンネル選択結果表示部２４ａに表示されると共に、「Unit１」〜「Unit８」の各選択候補を選択する機能がファンクションボタン１５ａ〜１５ｆに割り当てられ、割り当てられた機能（測定ユニット）を示す機能表示２５ａ〜２５ｈが機能表示領域２５内に表示される。この場合、「Unit１」〜「Unit８」は、測定ユニット２ａ〜２ｈに対応している。ここでは、一例として、ファンクションボタン１５ａ（「Unit１（測定ユニット２ａ）」の選択）を操作する。これに応じて、図５に示すように、制御部５は、測定ユニット２ａ（「Unit１」）を表す「１」の文字をチャンネル選択結果表示部２４ａに表示させると共に（本発明における「選択された結果」の一部が表示された状態）、測定ユニット２ａの種別（この例では、「電圧ユニット」）をユニット種別表示部２４ｃに表示させる。また、制御部５は、測定ユニット２ａの各チャンネル（「ｃｈ１」〜「ｃｈ８」）を選択する機能をファンクションボタン１５ａ〜１５ｆに割り当てると共に、割り当てた機能を示す機能表示２５ａ〜２５ｈを機能表示領域２５内に表示させる。ここでは、一例として、ファンクションボタン１５ａ（「ｃｈ１」の選択）を操作する。
【００２５】
これに応じて、図６に示すように、制御部５は、測定ユニット２ａのチャンネル１を表す「１−１」の文字をチャンネル選択結果表示部２４ａに表示させると共に（本発明における「選択された結果」が表示された状態）、カーソル表示２１ａを領域指定結果表示部２４ｂの部位に移動させる。また、制御部５は、測定ユニット２ａのチャンネル１から入力した入力信号Ｓについての信号波形Ｗを表示すべき表示位置（この例では、波形表示領域３１ａ〜３１ｄ（「Ｇ１」〜「Ｇ４」））を指定する機能をファンクションボタン１５ａ〜１５ｄに割り当てると共に、割り当てた機能を示す機能表示２５ａ〜２５ｄを機能表示領域２５内に表示させる。ここでは、一例として、ファンクションボタン１５ａ（「Ｇ１（波形表示領域３１ａ）」の指定）を操作する。これにより、シート１に表示すべき信号波形Ｗとして、測定ユニット２ａのチャンネル１から入力した入力信号Ｓについての信号波形Ｗが選択されると共に、その信号波形Ｗを波形表示画面３１における波形表示領域３１ａに表示させる旨が設定される。この後、シート１に表示すべき他の信号波形Ｗ，Ｗ・・について、上記の操作手順と同様にして、測定ユニットの選択、信号入力チャンネルの選択、および表示位置の指定を順次実行することにより、一例として、図３に示すように、１０種類の信号波形Ｗ，Ｗ・・をシート１に表示させる旨が設定される。
【００２６】
この後、操作部４の所定のボタンを操作して波形表示画面３１を表示部３に表示させることにより、図２に示すように、表示条件設定画面２１における表示対象設定領域２４に表示されている条件に従って、信号波形Ｗ１１，Ｗ１２，Ｗ２１〜Ｗ２４，Ｗ３１，Ｗ３２，Ｗ４１，Ｗ４２が波形表示画面３１の波形表示領域３１ａ，３１ｂ・・にそれぞれ表示される。また、この波形記録装置１では、例えば、信号波形Ｗ２３を「シート２」および「シート３」の双方に表示させることができる。具体的には、上記の「シート２」についての表示条件の設定に加えて、「シート３」についての表示条件の設定として、測定ユニット２ｃのチャンネル３（表示対象設定領域２４におけるチャンネル選択結果表示部２４ａが「２−３」のチャンネル）から入力した入力信号Ｓについての信号波形Ｗ２３を「シート２」の波形表示領域３１ｃ（「Ｇ３」）に表示させるように設定する。これにより、「シート２」から「シート３」に切替え表示した際にも、波形表示領域３１ｃに信号波形Ｗ２３が表示される。
【００２７】
このように、この波形記録装置１によれば、各波形表示画面３１，３１・・に表示すべき信号波形Ｗ，Ｗ・・として表示条件設定画面２１上において各波形表示画面３１，３１・・毎に選択された結果（この例では、表示すべき信号波形Ｗについての入力信号Ｓを入力した測定ユニットおよびチャンネルを表す文字情報）を表示条件設定画面２１内（この例では、チャンネル選択結果表示部２４ａ）に表示させることにより、設定画面の画面切替えを行うことなく、１つの波形表示画面３１に表示させるべき信号波形Ｗ，Ｗ・・を１つの表示条件設定画面２１内で選択して設定することができる。したがって、複数の信号入力チャンネルが存在したとしても、１つの波形表示画面３１に表示させるべき信号波形Ｗ，Ｗ・・を確実かつ容易に選択することができる。
【００２８】
また、この波形記録装置１によれば、各信号波形Ｗ，Ｗ・・を表示させるべき波形表示領域３１ａ，３１ｂ・・として表示条件設定画面２１上において各信号波形Ｗ，Ｗ・・毎に指定された結果を表示条件設定画面２１内に表示させることにより、設定画面の画面切替えを行うことなく、１つの波形表示画面３１に表示させるべき各信号波形Ｗ，Ｗ・・についての表示条件（いずれの波形表示領域３１ａ，３１ｂ・・に表示させるかの条件）を１つの表示条件設定画面２１内で確実かつ容易に設定することができる。
【図面の簡単な説明】
【００２９】
【図１】波形記録装置１の構成を示すブロック図である。
【図２】波形表示画面３１の一例を示す表示画面図である。
【図３】表示条件設定画面２１を表示した状態の波形記録装置１の正面図である。
【図４】表示すべき信号波形Ｗに対応する測定ユニットを選択している状態の表示条件設定画面２１の表示画面図である。
【図５】表示すべき信号波形Ｗに対応する信号入力チャンネルを選択している状態の表示条件設定画面２１の表示画面図である。
【図６】信号波形Ｗを表示すべき表示位置（波形表示領域３１ａ，３１ｂ・・）を指定している状態の表示条件設定画面２１の表示画面図である。
【符号の説明】
【００３０】
１  波形記録装置
２  測定部
２ａ〜２ｈ  測定ユニット
３  表示部
５  制御部
２１  表示条件設定画面
２２ａ  シート選択部
２２ｂ  シート名設定部
２４  表示対象設定領域
２４ａ  チャンネル選択結果表示部
２４ｂ  領域指定結果表示部
３１  波形表示画面
３１ａ，３１ｂ・・  波形表示領域
Ｓ１１，Ｓ１２・・  入力信号
Ｗ１１，Ｗ１２・・  信号波形
【図１】
2006162437.tif 000003
【図２】
2006162437.tif 000004
【図３】
2006162437.tif 000005
【図４】
2006162437.tif 000006
【図５】
2006162437.tif 000007
【図６】
2006162437.tif 000008